(57)【要約】【課題】デジタル・ディスプレイに対して該デジタル・ディスプレイの解像度に合ったデジタル画像を送信することができる撮像装置を提供する。【解決手段】デジタルカメラ１００にT.M.D.S.送信機１１０、ＤＶＩ出力端子１１２を含むＤＶＩインターフェースを設ける。デジタルカメラ１００のＤＶＩ出力端子１１２をＴＶモニタ１５０のＤＶＩ入力端子に接続し、デジタルカメラ１００のT.M.D.S.送信機１１０から１画面のラスターイメージのＲ，Ｇ，ＢデータをＴＶモニタ１５０に送信する。このＲ，Ｇ，Ｂデータを送信する際には、画像再生処理回路１２０において撮影画像の画像サイズを表示デバイスの解像度に合うようにリサイズし、ＴＶモニタ１５０の解像度に合ったＲ，Ｇ，Ｂデータを送信する。【選択図】      図１
2005039668.tif 000002
【特許請求の範囲】
【請求項１】
撮影レンズによって撮像素子上に結像させた光学像をデジタル画像として記録媒体に記録する撮像装置において、
前記記録媒体に記録されたデジタル画像の画像サイズを外部のデジタル・ディスプレイの解像度に合うようにリサイズするリサイズ手段と、
前記リサイズ手段によってリサイズされたデジタル画像のＲ，Ｇ，Ｂ信号を前記デジタル・ディスプレイに転送するためのデジタル・ディスプレイ接続用のインターフェースと、
を備えたことを特徴とする撮像装置。
【請求項２】
前記インターフェースは、ＤＶＩインターフェースであることを特徴とする請求項１に記載の撮像装置。
【請求項３】
撮影レンズによって撮像素子上に結像させた光学像をデジタル画像として記録媒体に記録する撮像装置において、
前記記録媒体に記録されたデジタル画像の画像サイズが小さくなるようにリサイズするリサイズ手段と、
前記リサイズ手段によってリサイズされたデジタル画像のＲ，Ｇ，Ｂ信号を外部記憶装置に転送するインターフェースと、
を備えたことを特徴とする撮像装置。
【請求項４】
撮影レンズによって撮像素子上に結像させた光学像をデジタル画像として記録媒体に記録する撮像装置において、
前記記録媒体に記録されたデジタル画像の画像サイズを外部のデジタル・ディスプレイの解像度に合うようにリサイズするリサイズ手段と、
前記リサイズ手段によってリサイズされたデジタル画像のＲ，Ｇ，Ｂ信号を前記デジタル・ディスプレイに転送するためのデジタル・ディスプレイ接続用の第１のインターフェースと、
前記リサイズ手段によってリサイズされたデジタル画像のＲ，Ｇ，Ｂ信号を外部記憶装置に転送する第２のインターフェースと、
を備えたことを特徴とする撮像装置。
【請求項５】
外部のデジタル・ディスプレイから該デジタル・ディスプレイの解像度を読み取り、前記リサイズ手段でリサイズする画像サイズを自動設定するプラグアンドプレイ機能を有することを特徴とする請求項１又は４に記載の撮像装置。
【発明の詳細な説明】
【技術分野】
【０００１】
本発明は撮像装置に係り、特にデジタル・ディスプレイとの接続に好適な撮像装置に関する。
【背景技術】
【０００２】
図３は従来の撮像装置（デジタルカメラ）の一例を示すブロック図である。
【０００３】
このデジタルカメラ１０は、ビデオ出力端子１２とＵＳＢ（Universal Serial Bus）等のデジタル端子１４とを有し、ビデオ出力端子１２をＡＶケーブル１６を介してアナログのＴＶモニタ２０に接続することにより、デジタルカメラ１０内の記録メディア３０に格納されている画像データをＴＶモニタ２０で再生することができる。
【０００４】
即ち、記録メディア３０に記録されたＪＰＥＧファイル（（Joint Photographic Experts Group）形式の画像ファイル）は、メディア制御回路３２を介して読み出され、画像再生処理回路３４に加えられる。画像再生処理回路３４は、画像ファイルの圧縮データを伸長してＹＣデータ（輝度信号（Ｙ）とクロマ信号（Ｃ））にし、これをビデオエンコーダ３６に出力する。ビデオエンコーダ３６は、入力するＹＣデータからＮＴＳＣ方式のアナログのビデオ信号を生成し、ビデオ出力端子１２及びＡＶケーブル１６を介してＴＶモニタ２０に出力し、ＴＶモニタ２０に画像を表示させる。
【０００５】
また、このデジタルカメラ１０は、デジタル端子１４をＵＳＢケーブル１８を介してパソコン等の外部記憶装置２２に接続することにより、デジタルカメラ１０内の記録メディア３０に格納されている画像データを外部記憶装置２２に転送することができる。
【０００６】
即ち、記録メディア３０に記録されたＪＰＥＧファイルは、メディア制御回路３２を介して読み出され、通信制御回路３８に出力される。通信制御回路３８は、ＪＰＥＧファイルをデジタル端子１４、ＵＳＢケーブル１８を介してシリアル通信で外部記憶装置２２に転送する。
【０００７】
尚、図３上で、４０は撮影レンズ、４２は撮影レンズ４０を介して入射した画像光を電気信号に変換する撮像素子（ＣＣＤ）、４４はＣＣＤ４２から入力する画像信号を処理する画像処理回路、４６は画像処理回路４４から入力する処理済みの画像信号（ＹＣデータ）をＪＰＥＧ形式で圧縮する圧縮処理回路であり、圧縮処理回路４６で圧縮されたＪＰＥＧファイルは、メディア制御回路３２を介して記録メディア３０に記録される。
【０００８】
特許文献１には、図３に示したビデオ出力端子１２とデジタル端子１４とを有するデジタルカメラが開示されている。
【特許文献１】特開平１０−１５０６４１号公報
【発明の開示】
【発明が解決しようとする課題】
【０００９】
近年、デジタルカメラのＣＣＤ等の撮像素子の解像度の向上、記録メディアの容量の増加に伴い、撮影画像を記録した画像ファイルのファイルサイズは拡大する一方である。また、パソコン等の補助記録メディアであるＣＤ−Ｒ等も容易に使用することができるようになってきている。
【００１０】
しかし、ファイルサイズの大きな画像ファイルをデジタルカメラから補助記録メディアに送る場合、ファイルサイズが拡大された分だけ通信時間が増加し、画像解像度が増すにつれてファイル転送時間が増すという問題が生じる。特に、ファイルサイズの大きな画像ファイルは、高画質の写真プリントを得るためには適しているが、パソコン等の表示画面に表示させたい用途には適さなくなっている。
【００１１】
また、近年、ＤＶＩ（Digital Visual Interface）インターフェースを備えたプラズマディスプレイ、液晶ディスプレイ等の高解像度のデジタル・ディスプレイが普及してきている。
【００１２】
従来のデジタルカメラには、上記デジタル・ディスプレイに接続するためのインターフェースが設けられておらず、デジタルカメラの画像をデジタル・ディスプレイに表示させるためには、デジタルカメラの画像を一旦パソコンに取り込み、パソコンからデジタル・ディスプレイに画像データを送信して表示させる必要があり、煩雑であるという問題がある。
【００１３】
また、デジタル・ディスプレイには、アナログのビデオ入力端子を備えたものがあるが、このビデオ入力端子にデジタルカメラのビデオ出力端子を接続して画像を表示させる場合には、デジタル・ディスプレイの解像度が十分に発揮されず、高解像度の画像を再生することができないという問題がある。
【００１４】
本発明はこのような事情に鑑みてなされたもので、デジタル・ディスプレイに対して該デジタル・ディスプレイの解像度に合ったデジタル画像を送信することができ、また、パソコン等の外部記憶装置にデジタル画像を転送する際の転送時間の短縮化を図ることができる撮像装置を提供することを目的とする。
【課題を解決するための手段】
【００１５】
前記目的を達成するために請求項１に係る発明は、撮影レンズによって撮像素子上に結像させた光学像をデジタル画像として記録媒体に記録する撮像装置において、前記記録媒体に記録されたデジタル画像の画像サイズを外部のデジタル・ディスプレイの解像度に合うようにリサイズするリサイズ手段と、前記リサイズ手段によってリサイズされたデジタル画像のＲ，Ｇ，Ｂ信号を前記デジタル・ディスプレイに転送するためのデジタル・ディスプレイ接続用のインターフェースと、を備えたことを特徴としている。
【００１６】
即ち、デジタル・ディスプレイのデジタル端子に接続し、デジタル画像のＲ，Ｇ，Ｂ信号を送信することができるデジタル・ディスプレイ接続用のインターフェースを撮像装置に設け、この撮像装置からデジタル・ディスプレイにデジタル画像のＲ，Ｇ，Ｂ信号を送信する。また、このデジタル画像のＲ，Ｇ，Ｂ信号を送信する際には、接続するデジタル・ディスプレイの解像度に合うようにオリジナルのデジタル画像の画像サイズをリサイズする。これにより、撮像装置は、デジタル・ディスプレイに直接接続してそのデジタル・ディスプレイの解像度に合ったデジタル画像のＲ，Ｇ，Ｂ信号を送信することができる。
【００１７】
請求項２に示すように請求項１に記載の撮像装置において、前記インターフェースは、ＤＶＩインターフェースであることを特徴としている。
【００１８】
請求項３に係る発明は、撮影レンズによって撮像素子上に結像させた光学像をデジタル画像として記録媒体に記録する撮像装置において、前記記録媒体に記録されたデジタル画像の画像サイズが小さくなるようにリサイズするリサイズ手段と、前記リサイズ手段によってリサイズされたデジタル画像のＲ，Ｇ，Ｂ信号を外部記憶装置に転送するインターフェースと、を備えたことを特徴としている。
【００１９】
即ち、撮像装置から外部記憶装置に画像データを転送する際に、撮像装置内に記録されているオリジナルのデジタル画像の画像サイズよりも小さくなるようにリサイズしたデジタル画像のＲ，Ｇ，Ｂ信号を転送することができ、転送速度、表示処理時間等の短縮化を図ることができる。
【００２０】
請求項４に係る発明は、撮影レンズによって撮像素子上に結像させた光学像をデジタル画像として記録媒体に記録する撮像装置において、前記記録媒体に記録されたデジタル画像の画像サイズを外部のデジタル・ディスプレイの解像度に合うようにリサイズするリサイズ手段と、前記リサイズ手段によってリサイズされたデジタル画像のＲ，Ｇ，Ｂ信号を前記デジタル・ディスプレイに転送するためのデジタル・ディスプレイ接続用の第１のインターフェースと、前記リサイズ手段によってリサイズされたデジタル画像のＲ，Ｇ，Ｂ信号を外部記憶装置に転送する第２のインターフェースと、を備えたことを特徴としている。
【００２１】
請求項５に示すように請求項１又は４に記載の撮像装置において、外部のデジタル・ディスプレイから該デジタル・ディスプレイの解像度を読み取り、前記リサイズ手段でリサイズする画像サイズを自動設定するプラグアンドプレイ機能を有することを特徴としている。これにより、撮像装置をデジタル・ディスプレイに接続することで、オリジナルのデジタル画像の画像サイズを、その接続したデジタル・ディスプレイの解像度に適した画像サイズに自動的にリサイズすることができる。
【発明の効果】
【００２２】
本発明によれば、撮像装置にデジタル・ディスプレイ接続用のインターフェースを設けるようにしたため、該撮像装置をデジタル・ディスプレイに直結することができ、また、接続するデジタル・ディスプレイの解像度に合わせてオリジナルのデジタル画像の画像サイズをリサイズしてデジタル画像のＲ，Ｇ，Ｂ信号を送信することができ、これによりデジタル・ディスプレイの解像度に適した高品質の画像をデジタル・ディスプレイ上に表示させることができる。また、撮像装置から外部記憶装置に画像データを転送する際に、撮像装置内に記録されているオリジナルのデジタル画像の画像サイズよりも小さくなるようにリサイズしたデジタル画像のＲ，Ｇ，Ｂ信号を転送することができ、転送速度、表示処理時間等の短縮化を図ることができる。
【発明を実施するための最良の形態】
【００２３】
以下添付図面に従って本発明に係る撮像装置の好ましい実施の形態について説明する。
【００２４】
図１は本発明に係る撮像装置の実施の形態を示すブロック図である。尚、図３に示した従来のデジタルカメラ１０と共通する部分には同一の符号を付し、その詳細な説明は省略する。
【００２５】
図１に示すように本発明に係る撮像装置（デジタルカメラ）１００には、T.M.D.S.（Transition Minimized Differential Signaling ）送信機１１０と、ＤＶＩ出力端子１１２とを含むＤＶＩインターフェースが設けられている。このデジタルカメラ１００で撮影された画像を、ＤＶＩインターフェースを備えたプラズマディスプレイ、液晶ディスプレイ等のデジタル・ディスプレイとしてのＴＶモニタ１５０に表示させる場合には、前記ＤＶＩ出力端子１１２と、ＴＶモニタ１５０のＤＶＩ入力端子（図示せず）とをＤＶＩケーブル１４０で接続する。
【００２６】
そして、デジタルカメラ１００を再生モードにし、記録メディア３０に記録されているＪＰＥＧファイルの中からＴＶモニタ１５０で再生するＪＰＥＧファイルを選択する。尚、デジタルカメラ１００を撮影モードから再生モードにすると、記録メディア３０に最後に記録されたＪＰＥＧファイルが選択され、その後、コマ送り、コマ戻し等の操作を行うことで所望のＪＰＥＧファイルを選択することができる。
【００２７】
ＴＶモニタ１５０で再生するＪＰＥＧファイルが選択されると、そのＪＰＥＧファイルは、メディア制御回路３２を介して読み出され、画像再生処理回路１２０に加えられる。画像再生処理回路１２０は、圧縮されたＪＰＥＧファイルを伸長してＹＣデータ（輝度信号（Ｙ）とクロマ信号（Ｃ））に戻し、このＹＣデータをＲ，Ｇ，Ｂデータに変換する。更にＴＶモニタ１５０の解像度に合った画像サイズにリサイズし、リサイズしたＲ，Ｇ，ＢデータをT.M.D.S.送信機１１０に送る。
【００２８】
このデジタルカメラ１００が直結されるデジタル・ディスプレイの解像度としては、例えば、ＶＧＡ（640 × 480）、ＳＶＧＡ（800 × 600）、ＸＧＡ（1024× 768）、ＳＸＧＡ（1280×1024）、ＵＸＧＡ（1600×1200）等のものがあり、操作者は出力先のデジタル・ディスプレイの解像度に適した画像サイズをデジタルカメラ１００のセットアップメニュー等を利用して事前に設定しておく。前記画像再生処理回路１２０は、予め設定された画像サイズになるように撮影画像の画像サイズをリサイズする。
【００２９】
画像再生処理回路１２０によって所定の画像サイズにリサイズされた１画面分のデジタルのＲ，Ｇ，Ｂデータは、T.M.D.S.送信機１１０に出力される。
【００３０】
T.M.D.S.送信機１１０は、ＤＶＩに採用されているディスプレイ映像信号のデジタル伝送を行うもので、１画面分のデジタルのＲ，Ｇ，Ｂデータを出力する出力回路（画像再生処理回路１２０）と、ＴＶモニタ１５０側の入力回路との間における映像信号の伝送方式を規定しており、ＤＶＩインターフェースは２リンクのT.M.D.S.を内包している。
【００３１】
各リンクはＲ，Ｇ，Ｂの３種類の映像信号の伝送にそれぞれ１チャンネルずつもち、２４ビットのデータ（画素）及び６ビットの制御データを伝送する。即ち、３０ビット（２４ビット＋６ビット）のデータは符号化されたあと直列化されて３チャンネルで伝送される。１本のチャンネルは、2 本の信号線による差動駆動によって直列化されたデータを伝送する。
【００３２】
前記T.M.D.S.送信機１１０から送信されるラスターイメージのＲ，Ｇ，Ｂデータは、ＤＶＩ出力端子１１２、ＤＶＩケーブル１４０を介してＴＶモニタ１５０に出力される。
【００３３】
ＤＶＩインターフェースを有するＴＶモニタ１５０では、受信データを並列化したあとに復号し、２４ビットのデータ（画素）と６ビットの制御信号を取り出し、これらのデータに基づいて画像を表示する。
【００３４】
従来、デジタル・ディスプレイに画像を表示させるためには、ＪＰＥＧファイルをパソコンに転送し、パソコンで表示させるＪＰＥＧファイルを読み出し、そのＪＰＥＧファイルを伸張し、更にデジタル・ディスプレイの解像度に合った画像サイズにリサイズして、パソコンからデジタル・ディスプレイに出力することにより画像を表示させるようにしているが、本発明ではデジタルカメラ１００をデジタル・ディスプレイ（ＴＶモニタ１５０）に直結し、デジタルカメラ１００からＴＶモニタ１５０が必要とする解像度のデータストリームをそのまま転送している。尚、２リンクのT.M.D.S.を内包しているＤＶＩインターフェースでは、1600×1200ドット85Hz以上の表示を実現することができる。
【００３５】
次に、デジタルカメラ１００の記録メディア３０に記録された画像データを外部記憶装置２２に転送する場合について説明する。
【００３６】
この場合、デジタル（ＵＳＢ）端子１４をＵＳＢケーブル１８を介して外部記憶装置２２に接続する。通信制御回路１３０は、図３に示したように記録メディア３０に記録されたＪＰＥＧファイルをそのまま転送する機能を有するが、T.M.D.S.送信機１１０から出力されるＲ，Ｇ，Ｂデータと同等のデータを出力して外部記憶装置２２に転送する機能も有する。尚、ＪＰＥＧファイルを転送するか、Ｒ，Ｇ，Ｂデータを転送するかの選択は、例えば、カメラのセットアップメニューでの通信モードの選択で行うことができる。また、転送するデジタルデータは、T.M.D.S.である必要はなく、ＵＳＢストリームへの変換であってもよい。
【００３７】
ＪＰＥＧファイルを転送する場合と、リサイズされたＲ，Ｇ，Ｂデータを転送する場合とを比較すると、例えば、画像サイズが4256×2848画素のＪＰＥＧファイルのサイズは、4.7 Ｍバイトである。しかし、実際の表示デバイスで、4256×2848画素のサイズで表示されるわけではなく、表示デバイスの必要とするデータは、表示デバイスの解像度に依存する。
【００３８】
表示デバイスの一般的な解像度は、ＸＧＡ（1024× 768）であり、２４ビットフルカラーの場合には、2.3 Ｍバイト程度であり、更に１６ビットカラーの場合には1.5 Ｍバイトである。従って、ＪＰＥＧファイルを転送する場合に比べて、実際に表示デバイスで使うそのままのデータを転送することで、転送時間、表示処理時間の短縮化を図ることができる。
【００３９】
図２は本発明に係る撮像装置の他の実施の形態を示す要部ブロック図である。尚、図１と共通する部分には同一の符号を付し、その詳細な説明は省略する。
【００４０】
図１に示す発明の実施の形態では、操作者が出力先の表示デバイスの解像度に適した画像サイズを事前に設定し、この設定された画像サイズになるように撮影画像の画像サイズをリサイズするようにしたが、図２に示す発明の実施の形態では、リサイズする画像サイズを自動設定するようにしている。
【００４１】
ＤＶＩ規格では、活線挿抜と自動設定（プラグアンドプレイ）を規定している。この実施の形態のデジタルカメラは、ＤＶＩ出力端子１１２にＴＶモニタ１５０に接続されたことを自動検出し、接続されたＴＶモニタ１５０の解像度を含む各種の情報を取得する。画像再生処理回路１２０のリサイズ手段１２２には、リサイズする画像サイズとして、プラグアンドプレイ機能により取得したＴＶモニタ１５０の解像度に合った画像サイズが自動設定され、リサイズ手段１２２は、デジタルカメラでの撮影画像の画像サイズを自動設定された画像サイズになるようにリサイズする。
【００４２】
尚、デジタルデータを転送するキャリアは、ＵＳＢ、ＩＥＥＥ１３９４等のいずれでもよく、また、有線又は無線ネットワークでもよい。また、この実施の形態では、撮像装置としてデジタルカメラを例に説明したが、カメラ付き形態電話等の携帯端末にも適用できる。
【図面の簡単な説明】
【００４３】
【図１】本発明に係る撮像装置の実施の形態を示すブロック図
【図２】本発明に係る撮像装置の他の実施の形態を示す要部ブロック図
【図３】従来の撮像装置の一例を示すブロック図
【符号の説明】
【００４４】
１４…デジタル（ＵＳＢ）端子、１８…ＵＳＢケーブル、２２…外部記憶装置、３０…記録メディア、３２…メディア制御回路、４０…撮影レンズ、４２…撮像素子（ＣＣＤ）、１１０…T.M.D.S.送信機、１１２…ＤＶＩ出力端子、１２０…画像再生処理回路、１２２…リサイズ手段、１３０…通信制御回路、１４０…ＤＶＩケーブル、１５０…ＴＶモニタ
【図１】
2005039668.tif 000003
【図２】
2005039668.tif 000004
【図３】
2005039668.tif 000005